(57)【要約】      （修正有）【課題】スプリングのコネクタの改良の提供。【解決手段】スプリングのコネクタは、絶縁座体、数本の電気端子及びアース片で構成され、当該絶縁座体の底部表面の一側端は、他の一側端に向かって数本の電気端子が挿して置かれた相互で平行する通路に挿通して、当該すべての通路は開放の孔状を形成する。数本の電気端子が挿して置かれた後、電気端子主体の円柱筒管の部分は、その環状端面が外方に突出して基板回路と押し当てるように電気的に接続することによって、コネクタの高度空間を縮小して、そして絶縁座体の底部表面の両側のアース片を通して堅固な接合を達する。スプリングのコネクタは、回路の他の方向にも電気的に接続し、少なくとも二つの異なっている方向にも電気的に接続する。【選択図】図２
0003125509.tif 000002
【実用新案登録請求の範囲】
【請求項１】
スプリングのコネクタであって、絶縁座体（１）、数本の電気端子（２）で構成されて、当該電気端子（２）は、当該絶縁座体（１）に設けられて、それは、当該絶縁座体（１）の底表面（１５）の一端面（１２）から他の相対する後側面（１３）へ挿通して、数本の電気端子（２）が挿して置かれた相互で平行する通路（１４）が設置されて、当該すべての通路（１４）は、当該絶縁座体（１）の底表面（１５）相互で挿通して開放型形態を形成して、当該電気端子（２）は当該通路（１４）に置き入れられた後、当該電気端子（２）の主体円柱筒管（２１）の部分環状端面（２３）は、外面へ突き出すことを特徴とするスプリングのコネクタ。
【請求項２】
当該絶縁座体（１）の当該通路（１４）内に、アーチ形の凸部（１７）が設けられて、当該電気端子（２）は、環状凹溝（２２）を設けて、当該アーチ形の凸部（１７）は環状凹溝（２２）と押し付けて、電気端子（２）が当該絶縁座体（１）の前後方向で移動することを免れることができて、当該アーチ形の凸部（１７）両側の縁は、通路（１４）内へ押圧縁（１７１）を設けて、電気端子（２）が絶縁座体（１）から離脱したことを防止することを特徴とする請求項１に記載のスプリングのコネクタ。
【請求項３】
当該電気端子（２）の主体円柱筒管（２１）丸錐台式を呈することを特徴とする請求項１に記載のスプリングのコネクタ。
【請求項４】
当該電気端子（２）部分の環状端面（２３）は、当該絶縁座体（１）へ突き出して基板回路（４）と押し付けて、信号伝送を連接して、全体コネクタの高度空間を下げることを特徴とする請求項３に記載のスプリングのコネクタ。
【請求項５】
当該絶縁座体（１）の当該底表面（１５）は、安定でしっかり熔接するアース片（３）を設けることを特徴とする請求項１に記載のスプリングのコネクタ。
【請求項６】
当該絶縁座体（１）の好ましい当該底表面（１５）は、当該絶縁座体（１）の長軸方向と平行してしかもいっそう大きな面積であることを特徴とする請求項１に記載のスプリングのコネクタ。
【請求項７】
当該絶縁座体（１）の当該端面（１２）は、当該電気端子（２）が他のコネクタとの対接方向と相同であることを特徴とする請求項１に記載のスプリングのコネクタ。
【請求項８】
電気端子（２）の当該主体円柱筒管（２１）の部分環状端面（２３）は、外面へ突き出して、及び当該主体円柱筒管（２１）の底表面（２４）は、略に当該絶縁座体（１）の後側面（１３）から突き出して、即ち、少なくとも二つの異なっている方向にも電気的に接続するように提供できることを特徴とする請求項１に記載のスプリングのコネクタ。
【考案の詳細な説明】
【技術分野】
【０００１】
本考案は、スプリングのコネクタを提供して、特に、コネクタの高度空間を縮小できて、少なくとも二つの異なっている方向に電気的に接続するスプリングのコネクタを提供できることである。
【背景技術】
【０００２】
スプリングのコネクタは、現在すでに広範に各電子装置の製品に応用されて、パソコン、携帯電話などの電子装置の充電、スピーカー、入力/出力などの信号接続に提供されることができる。現在この領域の技術に関わって、図１に示すように参照して、当該図面に開示されたスプリングのコネクタ４０の結構は、比較的簡易で、絶縁座体１０、数本の電気端子２０及び支援装置鉄蓋３０で構成されて、当該スプリングのコネクタは、数本の電気端子２０円柱体底部の丸表面を通して回路と接続して、固定的に信号の伝送を達させて、そして基板回路としっかり熔接した時、当該支援装置鉄蓋３０を介して吸着して絶縁座体１０を設置して電気端子２０を基板回路に熔接させて、スプリングのコネクタ４０を使用する際に、支援装置鉄蓋３０を除き取らないと使用いけない。そのため、当該スプリングのコネクタ４０を組立または取り除くプロセスが必要であって、それは生産効率上が低下してきた。しかも、支援装置鉄蓋３０をパンチングするのは、多くの費用を必要として、費用の節約上に役立たない。同時に本コネクタの結構にとって、ただ一つの方向による電気の信号伝送に提供される；その上、当該スプリングのコネクタ４０の高度は高すぎて、電子製品の小型発展に役立たないで、上述による多種の不利な要素に基づいて、必ず現在のスプリングのコネクタを改良する必要がある。
【考案の開示】
【課題を解決するための手段】
【０００３】
本考案の主な目的は、スプリングのコネクタを提供して、それは、スプリングのコネクタの弾性端子主体の円柱筒管部分の環状端面を利用して基板回路と押し当てるように熔接することで、整体の高度空間をを縮小して使用されることを達するスプリングのコネクタである。 
【０００４】
本考案のもう一つの目的は、スプリングのコネクタを提供して、当該スプリングのコネクタは、特別の結構設計は少なくとも2つの異なっている方向による電気の信号伝送に提供することができる。
【０００５】
本考案の目的を達するために、本考案は下記の技術方案を採用して実現できる；当該スプリングのコネクタは、絶縁座体、数本の電気端子及びアース片で構成されて；その中、当該絶縁座体は、矩形体構造のデザインを呈して、しかも絶縁座体の底表面の前側面から凹み入れて後側面へ挿通して、数本の電気端子が挿して置かれた相互で平行する通路が設置されて、このすべての通路は開放型形態の通孔を形成して、すべての通路の内で通路と完全に相当するアーチ形の凸部を有して、当該アーチ形の凸部は、電気端子が絶縁座体中の前後で移動することを免れることができて、当該アーチ形の凸部縁の両側は、通孔内へ向いて小さくて突き出ている押圧縁が設けられて、当該押圧縁は、電気端子をしっかり安定で通路に固定させる；数本の電気端子は弾性の設計であって、弾性端子の円柱筒管の環状端面に押圧縁と押し付ける環状溝が設けられて、数本の電気端子は各の通路にしっかり固定された後、その電気端子の円柱体部分の環状面は、外方に向くように絶縁座体の底部表面に突出して、電気端子の円柱体の底部丸表面が、絶縁座体の後表面から少し突き出ていて、この時のスプリングのコネクタは、少なくとも二つの異なっている方向にも電気的に接続するように提供できて、各電子装置の製品は、各自の需要によって選択して提供されて、当該絶縁座体の底部表面の両側は上表面へ向くようにアース片に挿し入れられた開口が設けられて、当該アース片は、スプリングのコネクタが90度の方向となる時、基板回路との堅固で安定を提供することができて、そのため、安定の電気信号も伝送を提供する；他の方向の電気的に接続する時、アース片の必要がなくてもしっかり接合して信号の伝送を達することを提供できる。
【０００６】
この技術を熟知する者に確かに本考案の構造特徴、及び他の創作目的と効果を理解させることができるため、茲に具体的の実態例を例として添付した図面を合わせて、下記の如く詳細に説明する。
【考案を実施するための最良の形態】
【０００７】
図面２に示すように参照して、それは本考案によるスプリングのコネクタであって、当該スプリングのコネクタ５０は、絶縁座体１、数本の電気端子２及び基板回路に固定されたアース片３で構成されて；当該絶縁座体１は、矩形体構造のデザインを呈して、当該主体部１１は底表面１５及び相対する上表面１６（図３を合わせて参照して）を有して、好ましい実施例に、当該底表面１５及び上表面１６は、平行の主体部１１の長軸方向で比較的の面積であって、当該底表面１５と相互に隣接する前側面１２は、相対する後側面１３へ凹んで数本の電気端子２が差し置かれた相互で平行する通路１４に挿通して、好ましい実施例中に、当該前側面１２は、当該電気端子２が他のコネクタとの対接方向と相同であって、当該すべての通路１４は絶縁座体１の底表面１５とお互い挿通して、半開放型形態を有する通路１４を形成して、すべての通路１４内に通路と完全に相当するアーチ形の凸部１７が設けられて、当該アーチ形の凸部１７の幅は、電気端子２の環状凹溝２２と相当で、当該アーチ形の凸部１７両側の縁は、通路１４内へ押圧縁１７１を設けて、前記押圧縁１７１は、絶縁座体１の底表面１５と並んで、当該電気端子２は通路１４内に置き入れた時、当該アーチ形の凸部１７は環状凹溝２２と押し付けて、電気端子２が絶縁座体１の前後方向で移動することを免れることができて、当該押圧縁１７１は、電気端子２が絶縁座体１から離脱したことを防止することができて、それによって、安定の電信信号の伝送を提供できて、絶縁座体１の底表面１５の両側に設置された凹溝１５１内の上表面１６へ向くように、アース片３が差し置かれた開口１５２を設けたことで、回路基板としっかり安定な結合に提供する。
【０００８】
数本の電気端子２は弾性設計であって、その中、主体円柱筒管２１を含み、当該円柱筒管２１は、丸錐台式を呈して、それは電気端子が組み立てる時に便利性をもらたして、当該主体円柱筒管２１は、環状凹溝２２を有して、当該環状凹溝２２は、アーチ形の凸部１７と押し付けた後、端子を固定させることができて；アース片３は“Ｌ”型の結構様式を呈して、従来の結構と似たようだったので，これが多くぜいげんする必要がないているです。
【０００９】
本考案によるのスプリングのコネクタ５０は、組み合わせた後、使用する時二種類の結構特徴があって、これは別々に詳細に述べる。数本の電気端子２は、絶縁座体１の後側面１３から通路１４に挿し入れた時、環状凹溝２２がアーチ形の凸部１７としっかり押し付けた後のは、電気端子２が前後方向で移動することを免れることができて、押圧縁１７１は、電気端子２が絶縁座体１から離脱したことを防止することができて、それは、通路１４が絶縁座体１の底表面１５と相互に挿通して半開放型形態を呈したため、電気端子２の主体円柱筒管２１の環状端面２３部分は、絶縁座体１の外面へ突き出して、電気端子２の主体円柱筒管２１の底部丸表面２４は、略に絶縁座体１の後側面１３から突き出して；当該アース片３が絶縁座体１の底表面１５から開口１５２ないに組み立てて、電気端子２の環状端面２３が底部丸表面２４を介して、二つ異なっている使用状態をそれぞれ表現する。図４、図５に示すように参照して、開示されたのは、上記第一の状況であって、当該スプリングのコネクタ５０が組み立てた後、当該電気端子２を基板回路４と平行（伏式）の状態に保持させる時、電気端子２が部分の環状端面２３を突き出して基板回路４と押し付けて、信号連接を達して、アース片３は更に安定で堅固な作用を提供して、絶縁座体１は十分に広い面積があるので、回路基板と伏式の状態で熔接する時、ＳＭＴ吸口を使用して鉄蓋の必要がなくても空間汲み取りを有することができて、この結構設計を利用して全体コネクタの高度空間を下げて、製品の小型化に達する；また、図６、図７に示すように参照して、当該スプリングのコネクタ５０が組み立てた後、当該電気端子２を基板回路４と結合して垂直の状態に保持させて、この結構を利用して信号連接を提供する時、アース片３の必要がない。絶縁座体１は十分に広い面積があるので、回路基板と直立式の状態で熔接する時、ＳＭＴ吸口を使用して鉄蓋の必要がなくても空間汲み取りを有することができて、当該スプリングのコネクタ５０は、電気端子２の底部丸表面２４が基板回路４と熔接することを利用して信号の伝送を提供する。従って、当該スプリングのコネクタ５０は、少なくとも二つ方向に基板回路４と熔接することを提供して、電子製品はそれぞれ需要によって、選択性に使用して、それぞれの需要に満足することができる。
【００１０】
本考案で開示された結構の実施形態は、容易に本考案を説明することであって、本考案の範囲を限定すわけにはならない。本考案の明細書を介してこの技術を分る方は、本考案にかかる精神を離れないに、少しの変更することができて、従って、本考案と類似する結構と見なされて、本考案による請求の範囲に含まれる。
【図面の簡単な説明】
【００１１】
【図１】従来技術の立体図を示す。
【図２】本考案による具体的な実施例の立体断面図である。
【図３】本考案による具体的な実施例の絶縁座体の他の角度の立体図である。
【図４】本考案による具体的な実施例が回路基板と９０度で組合う時の立体図である。
【図５】図４Ａ−Ａの方向斜視図である。
【図６】本考案による具体的な実施例が回路基板と１８０度で組合う時の立体図である。
【図７】図６Ｂ−Ｂの方向斜視図である。
【符号の説明】
【００１２】
１  絶縁座体
１１  主体部
１２  前側面
１３  後側面
１４  通路
１５  底表面
１５１ 凹溝
１５２ 開口
１６  上表面
１７  アーチ形の凸部
１７１ 押圧縁
２  電気端子
２１  円柱筒管
２２  環状凹溝
２３  環状端面
２４  底部丸表面
３  アース片
４  基板回路
５０  スプリングのコネクタ
【図１】
0003125509.tif 000003
【図２】
0003125509.tif 000004
【図３】
0003125509.tif 000005
【図４】
0003125509.tif 000006
【図５】
0003125509.tif 000007
【図６】
0003125509.tif 000008
【図７】
0003125509.tif 000009